【事件の表示】
　平成　７年特許願第１５７９６０号「遊技機」拒絶査定不服審判事件〔平成　９年　１月　７日出願公開、特開平　９−　　　７０２〕について、次のとおり審決する。
【結　論】
　本件審判の請求は、成り立たない。
【理　由】
　
１，手続きの経緯
　本願は、平成７年６月２３日の出願であって、平成１３年１１月８日付けで出願審査の請求と同時に手続補正がなされ、平成１７年１月１３日付けで拒絶理由が通知され、これに対し、同年３月２２日付けで手続補正がなされ、同年４月２０日付けで拒絶査定がなされたところ、同年５月２６日に拒絶査定不服の審判請求がなされるとともに、同年６月１７日付けで手続補正がなされたものである。
　　
２，平成１７年６月１７日付けの手続補正（以下、「本件補正」という。）について
　請求項１に係る本件補正は、上記平成１７年４月２０日付け拒絶査定における「備考　＜理由２＞」の欄において、
　「　出願人は・・・と主張している。
　しかしながら、「長時間」としている比較の対象が不明であり、「スロー」についても同様に、「スロー」としている比較の対象を把握することができない。
　また、「有効時間」との記載が追加されたが、何を「有効」としていのか明確に特定することができないので、当該記載の技術的意味が不明である。
　したがって、依然として「リーチスクロール」等を把握することはできない。」との指摘を受け、
　当該指摘を受けるような不明瞭な記載を補正しようとするものと認められる。
　
　そうすると、本件補正は、「明りょうでない記載の釈明」を目的とするものであって、平成６年改正前特許法第１７条の２第３項第４号に規定された目的に該当し、適法なものである。
　
３，本願発明
　本願の請求項１乃至４に係る発明は、上記平成１７年６月１７日付けで補正された明細書の記載からみて、その特許請求の範囲の請求項１乃至４に記載されたとおりのものと認められるところ、その請求項１に記載された発明は次のとおりのものである。
　【請求項１】　始動口への入賞に基づき複数の識別情報を可変表示する可変表示装置を備え、この可変表示の停止態様が大当たり態様になることに基づき大当たり状態を発生可能な遊技機において、
　リーチが発生して、最終停止識別情報の可変表示を一旦停止した後、該最終停止識別情報の再可変表示を行う再スタート手段と、
　前記再可変表示が行われる場合は前記最終停止識別情報の可変表示を一旦停止した後から再可変表示が行われるまでの期間である有効時間にあることを報知する再スタート有効状態報知手段と、
　を備えたことを特徴とする遊技機。（以下「本願発明」という。）
　
４，刊行物に記載された発明
　刊行物；特開平６−２１８１２１号公報
　　　
　原査定の拒絶理由通知に引用された、特開平６−２１８１２１号公報（以下、「引用刊行物」という。）には以下の記載がある。
　（４−１）「【０００１】
【産業上の利用分野】本発明は、所定の組合わせにより大入賞口を開放させる図柄組合わせ表示装置を備えたパチンコ機に関する。」、
　（４−２）「【００１４】前記始動口１４又は開放された入賞口開閉装置１５の側方から遊技球が流入すると、景品球の供給と共に図柄組合わせ表示装置６が駆動する。・・・
【００１５】そして図柄組合わせ表示装置６が駆動すると、図柄表示器７ａ，７ｂ，７ｃは図柄変動を開始し、約５秒程度経過すると、図柄表示器７ａ，７ｂ，７ｃの順番に図柄が変動停止する。
【００１６】このとき図柄表示器７ａと図柄表示器７ｂの図柄が一致した場合にはいわゆるリーチ状態となり、図柄表示器７ｃが図柄を視認可能なように低速変動する。・・・
【００１７】ここで図柄表示器７ａ，７ｂ，７ｃの表示図柄は「０」〜「９」、「￥」、「＄」及び「☆」の１３種があって、循環順序はあらかじめ定められている。そして、「☆」を更新図柄ｘとしている。」、
　（４−３）「【００１９】かかる制御態様を図４，５のフローチャートに従って説明する。
【００２０】前記始動口１４への入賞に伴って、あらかじめ記憶装置ＲＯＭに格納された当たり特別乱数から値を抽出する。これは、例えば「０」〜「２４４」の２４５コマとし、その内のいずれか（例えば「５６」）を当たりとする。そして、この値が記憶される。・・・
【００２１】そして表示器７ａ，７ｂ，７ｃが変動開始すると、上述の記憶内容を調べ、当たりである場合には、当たりルーチン（図４）が実行され、同様に外れの場合には、外れルーチン（図５）が実行される。
【００２２】この当たりルーチン作動を図４に従って説明する。
【００２３】まず、前記当たり選択により、同一図柄の組合わせ（例「１，１，１」、「２，２，２」）からなる１３種の当たり図柄のうちからいずれかを抽選する。これは、各表示器７ａ，７ｂ，７ｃに最終的に表示される図柄となり、一旦記憶保持される。
【００２４】そして次に、更新図柄ｘである「☆」を表示して変化制御するかどうかを選択する。これは、ＣＰＵ内のリフレッシュカウンタの最下位１ビットを抽選し、例えば「０」値の場合には「☆」を表示せず、「１」値の場合には「☆」を表示するようにする。そして、「０」値の場合には、既に決定された当たり図柄を各表示器７ａ，７ｂ，７ｃで表示させる。これには、「☆，☆，☆」も含まれる。
【００２５】一方、「☆」を表示する場合には、その発生位置の選定を行なう。この表示組合わせは６種類あり、これを抽選する。すなわち、「☆，Ｘ，Ｘ」、「☆，☆，Ｘ」、「☆，Ｘ，☆」、「Ｘ，☆，Ｘ」、「Ｘ，☆，☆」、「Ｘ，Ｘ，☆」である。ここでＸは☆以外の図柄を示す。」、
　（４−４）「【００２８】そして、既に決定された当たり組合わせのうち、上記で選定された位置を、「☆」に置き換えて、表示器７ａ，７ｂ，７ｃの順序で表示する。そして、各図柄が停止、または停止に近い緩速度で表示されてから、更新図柄ｘである「☆」が表示された表示器７ａ，７ｂ，７ｃのみを変化させ、既に定められた当たり図柄を表示させる。このときも、更新図柄ｘが二つ出現した場合には、表示器７ａ，７ｂ，７ｃの順で更新図柄ｘを変化させる。
【００２９】この表示経過中に図柄が７ａ＝７ｂとなった場合には、上述したようにリーチ状態となって、低速変動等の変化作動を生ずる。従って、「☆，☆，Ｘ」の場合にもリーチ状態となる。尚、このリーチ作動は、図４，５のフローチャートでは省略している。」、
　（４−５）「【００３１】次に、外れルーチン作動につき説明する。
【００３２】まず、各表示器７ａ，７ｂ，７ｃに対応する三つの外れ図柄乱数を用いて、前記表示器７ａ，７ｂ，７ｃの順で、１３種の図柄から順次選択する。尚、各図柄が揃った場合には、表示器７ｃの図柄を１コマ移動させ、外れ図柄を確定し、一旦記憶保持する。
【００３３】次に、当たり図柄ルーチンと同様に、更新図柄ｘである「☆」を表示して変化させるかどうかを決める。そして、「☆」を表示しない場合には、上述の確定外れ図柄を表示器７ａ，７ｂ，７ｃの順で停止して表示する。一方、「☆」を表示する場合には、上述した６種類の配置例からいずれかを選定する。そして、既に決定された外れ図柄のうち、上記で選定された位置を、「☆」に置き換えて、表示器７ａ，７ｂ，７ｃの順序で表示する。そして、各図柄が停止、または停止に近い緩速度で表示されてから、更新図柄ｘである「☆」が表示された表示器のみを変化させ、既に定められた外れ図柄を表示させる。
【００３４】このように、表示器７ａ，７ｂ，７ｃを「☆」で一旦表示し、これを変化させるようにしたものであるから、遊技者は、「☆」が二つ又は、単一の場合で他の図柄が揃っている場合には、表示器７ａ，７ｂ，７ｃの表示が確定するまで、更新図柄ｘの変化による大当りの発生を期待することとなる。
【００３５】前記更新図柄ｘの変化作動は、次のイ〜ハのような手段がある。
【００３６】イ  一旦図柄変動を再始動させて、図柄が所定順序で高速変動した後に所定図柄で停止させる。
【００３７】ロ    表示器７ａ，７ｂ，７ｃの中心線を軸として反転させる。すなわち、あたかもトランプをひっくり返したような変化を、ドットの表示制御により視覚的に生じさせる。この場合には反転に従って所定の図柄が徐々に見えてくることとなる。
【００３８】ハ  紙を下端又は上端からめくるような変化をドットの表示制御により視覚的に生じさせる。この場合にも、所定の図柄が徐々に見えてくることとなる。」、
　（４−６）「【００４１】さらにまた、上述の構成では、各表示器７ａ，７ｂ，７ｃに更新図柄ｘとして、「☆」を一個図柄として含まれるようにしているが、表示器７ａ，７ｂ，７ｃのうち、いずれかの表示器のみに、更新図柄ｘを包含させるようにしても良い。・・・」。
　
　（４−７）また、本発明のパチンコ機１の機枠２を示す正面図である【図１】及び本発明の図柄組合わせ表示装置６の正面図である【図２】並びに中央制御装置ＣＰＵを示すブロック回路図である【図３】に示された事項を併せると、図面には、「一個の図柄を視認可能に各々に表示する左図柄表示器７ａ，右図柄表示器７ｂ，中図柄表示器７ｃ」の技術事項が示されている。
　　
　したがって、上記【００２４】の「更新図柄ｘである「☆」を表示して変化制御するかどうかを選択する。」の記載、【００３３】の「当たり図柄ルーチンと同様に、更新図柄ｘである「☆」を表示して変化させるかどうかを決める。」の記載に基づき、「更新図柄ｘである「☆」を表示」する場合について、上記（４−１）乃至（４−７）の技術事項をまとめると、
　引用刊行物には、
　「　始動口１４から遊技球が流入すると、図柄組合わせ表示装置６が駆動し、所定の組合わせにより大入賞口を開放させる図柄組合わせ表示装置６を備えたパチンコ機１において、
　前記図柄組合わせ表示装置６が駆動すると、「０」〜「９」、「￥」、「＄」及び「☆」の１３種の表示図柄がある左図柄表示器７ａ，右図柄表示器７ｂ，中図柄表示器７ｃは図柄変動を開始し、約５秒程度経過すると、左図柄表示器７ａ，右図柄表示器７ｂ，中図柄表示器７ｃの順番に図柄が変動停止し、このとき左図柄表示器７ａと右図柄表示器７ｂの図柄が一致した場合にはリーチ状態となり、中図柄表示器７ｃが低速変動するものであり、
　前記始動口１４への入賞に伴って、当たり特別乱数から値を抽出して、この値が記憶され、左、右、中図柄表示器７ａ，７ｂ，７ｃが変動開始すると、上述の記憶内容を調べ、
　当たりである場合には、当たりルーチンが実行され、外れの場合には、外れルーチンが実行され、
　この当たりルーチン作動は、更新図柄ｘである「☆」の発生位置の選定を、「☆，Ｘ，Ｘ」、「☆，☆，Ｘ」、「☆，Ｘ，☆」、「Ｘ，☆，Ｘ」、「Ｘ，☆，☆」、「Ｘ，Ｘ，☆」である６種類の表示組合わせの抽選により行ない、既に決定された当たり組合わせのうち、選定された位置を、「☆」に置き換えて、左、右、中図柄表示器７ａ，７ｂ，７ｃの順序で表示して、各図柄が停止表示されてから、「☆」が表示された左、右、中図柄表示器７ａ，７ｂ，７ｃのみを左、右、中図柄表示器７ａ，７ｂ，７ｃの順で「☆」を変化させて、既に定められた当たり図柄を表示させ、
　外れルーチン作動は、上述した６種類の「☆」の配置例からいずれかを選定し、既に決定された外れ図柄のうち、選定された位置を、「☆」に置き換えて、左、右、中図柄表示器７ａ，７ｂ，７ｃの順序で表示して、各図柄が停止表示されてから、「☆」が表示された表示器のみを変化させ、既に定められた外れ図柄を表示させるものであり、
　前記更新図柄ｘである「☆」の変化作動は、一旦表示した「☆」を変化させて、所定の図柄で停止させる手段があり、
　遊技者は、「☆」が二つ又は、単一の場合で他の図柄が揃っている場合には、左、右、中図柄表示器７ａ，７ｂ，７ｃの表示が確定するまで、更新図柄ｘの変化による大当りの発生を期待することとなり、
　また、左、右、中図柄表示器７ａ，７ｂ，７ｃのうち、いずれかの表示器のみに、更新図柄ｘを包含させるようにしても良い、パチンコ機１。」の発明（以下「引用発明」という。）が、記載されていると認められる。
　　　　
５，本願発明との比較・検討
　本願発明と引用発明とを比較する。
　（５−１）引用発明の「始動口１４」は、本願発明の「始動口」に相当し、以下同様に「遊技球が流入する」は「入賞」に、「１３種の表示図柄」は「複数の識別情報」に、「図柄変動」は「可変表示」に、「図柄組合わせ表示装置６」は「可変表示装置」に、「所定の組合わせにより」は「可変表示の停止態様が大当たり態様になる」に、「大入賞口を開放させる」は「大当たり状態を発生可能」に、「パチンコ機１」は「遊技機」に、それぞれ相当する。
　（５−２）引用発明の「更新図柄ｘである「☆」の変化作動は、一旦表示した「☆」を変化させて、所定の図柄で停止させる手段があり、」の技術事項について検討する。
　引用発明の、「更新図柄ｘである「☆」の発生位置を、「Ｘ，☆，Ｘ」に選定」する旨の記載、及び「左、右、中図柄表示器７ａ，７ｂ，７ｃのうち、いずれかの表示器のみに、更新図柄ｘを包含させるようにしても良い、」との記載からは、「中図柄表示器７ｃのみに「☆」を表示」する技術事項が把握されるから、
　引用発明には「左、右、中図柄図柄表示器７ａ，７ｂ，７ｃの順番に図柄が変動停止し、このとき左図柄表示器７ａと右図柄表示器７ｂの図柄が一致した場合にはリーチ状態となり、最後に停止する中図柄表示器７ｃに図柄「☆」が一旦停止表示されてから、更新図柄ｘである「☆」が表示された中図柄表示器７ｃの図柄を所定の図柄に変化させる手段があり、」の技術事項（以下、「再始動技術事項」という。）が記載されていると認められる。
　そこで、当該再始動技術事項について検討すると、
　（５−２−１）「リーチ状態となり」は、本願発明の「リーチが発生して」に相当し、以下同様に、「中図柄表示器７ｃの図柄」は「最終停止識別情報」に、「停止表示されてから」は停止の以前には変動していることは明らかであるから「可変表示を一旦停止した後」に、「所定の図柄に変化させる手段」は停止表示されている「☆」を所定の図柄に変化させるのであるから「再可変表示を行う再スタート手段」に、それぞれ相当するから、引用発明には本願発明の「リーチが発生して、最終停止識別情報の可変表示を一旦停止した後、該最終停止識別情報の再可変表示を行う再スタート手段を備え、」に相当する技術事項が記載されていると認められる。
　また、前記再始動技術事項における「更新図柄ｘである「☆」の表示態様」について検討すると、
　（５−２−２）「☆」は、最後に停止する中図柄表示器７ｃが一旦停止した時点から所定の図柄に変化するまでの間に継続して表示され、所定の図柄に変化した時点で表示されなくなるものであることは明らかであるから、「更新図柄ｘである「☆」の表示態様」と本願発明の「再可変表示が行われる場合は最終停止識別情報の可変表示を一旦停止した後から再可変表示が行われるまでの期間である有効時間にあることを報知する再スタート有効状態報知手段」とを比較すると、「再可変表示が行われる場合は最終停止識別情報の可変表示を一旦停止した後から再可変表示が行われるまでの期間に表示する再スタート表示手段」において一致する。
　
　そうすると、両者の一致点及び相違点は次のとおりである。
　
　一致点
　始動口への入賞に基づき複数の識別情報を可変表示する可変表示装置を備え、この可変表示の停止態様が大当たり態様になることに基づき大当たり状態を発生可能な遊技機において、
　リーチが発生して、最終停止識別情報の可変表示を一旦停止した後、該最終停止識別情報の再可変表示を行う再スタート手段と、
　前記再可変表示が行われる場合は前記最終停止識別情報の可変表示を一旦停止した後から再可変表示が行われるまでの期間に表示する再スタート表示手段と、
　を備えた、遊技機。
　
　相違点
　再可変表示が行われるまでの期間に表示する再スタート表示手段が、本願発明では有効時間にあることを報知する再スタート有効状態報知手段であるのに対し、引用発明では当該期間に表示する再スタート表示手段である点。　
　　　　　　
　そこで、上記相違点について検討する。
　引用発明の再スタート表示手段は、上記（５−２−２）に記載したように、最終停止識別情報の可変表示を一旦停止した後から再可変表示が行われるまでの期間に表示するものであるから、表示期間において本願発明の再スタート有効状態報知手段と比較して差異は認められない。また、遊技機の表示手段の作動により遊技状態の何らかの報知を行うことは遊技機の分野における技術常識であるから、表示期間において差異が認められない引用発明の再スタート表示手段を報知手段とし、上記相違点に係る「有効時間にあることを報知する再スタート有効状態報知手段」とすることは当業者が容易になし得ることである。
　　　　
　また、効果においても、引用発明は「遊技者は、「☆」が単一の場合で他の図柄が揃っている場合には、左、右、中図柄表示器７ａ，７ｂ，７ｃの表示が確定するまで、更新図柄ｘの変化による大当りの発生を期待することとな」るものであるから、本願発明が格別の効果を奏するものとは認められない。
　
６，むすび
　したがって、本願発明は、引用発明に基づいて、当業者が容易に発明をすることができたものであるから、本願の他の請求項に係る発明について検討するまでもなく、本願は、特許法第２９条第２項の規定により、特許を受けることができない。
　よって、結論のとおり審決する。